(57)【要約】【課題】リハビリによって徐々に回復する体力と気力に応じた力と姿勢で患者が矢を射ることを可能にする。【解決手段】主弓１０１と補助弓１０２は、湾曲させることが可能な棒状の部材である。握り棒１０３は、主弓１０１と補助弓１０２より短い棒状の部材である。固定具１０４ａと固定具１０４ｂは、重ね合わされた主弓１０１と補助弓１０２の中央部付近で、主弓１０１と補助弓１０２と握り棒１０３とを固定する。調節具１０５ａは、固定具１０４ａが配置された握り棒１０３の一方の端部と、主弓１０１の一方の端部１１３ａとの間で主弓１０１と補助弓１０２を固定する。調節具１０５ｂは、固定具１０４ｂが配置された握り棒１０３の他方の端部と、主弓１０１の他方の端部１１３ｂとの間で主弓１０１と補助弓１０２を固定する。調節具１０５ａと調節具１０５ｂによる主弓１０１と補助弓１０２の固定位置を変更することにより、矢を射るための力を調節できる。【選択図】図１
0003161704.tif 000002
【実用新案登録請求の範囲】
【請求項１】
湾曲させることが可能な棒状の主弓と、
前記主弓に重ね合わされた湾曲させることが可能な棒状の補助弓と、
前記主弓に重ね合わされた前記主弓と前記補助弓より短い棒状の握り棒と、
重ね合わされた前記主弓と前記補助弓の所定の位置に前記握り棒を固定する固定部材と、
前記握り棒の一方の端部と前記主弓の一方の端部との間の第１の位置で前記主弓と前記補助弓を固定し、当該第１の位置を変更可能な第１の調節具と、
前記握り棒の他方の端部と前記主弓の他方の端部との間の第２の位置で前記主弓と前記補助弓を固定し、当該第２の位置を変更可能な第２の調節具と、
前記主弓の両方の端部にそれぞれ結び付けられて、前記主弓を湾曲させる弦と、
を備えることを特徴とするリハビリ用強度可変小弓。
【請求項２】
前記固定部材が、前記握り棒の一方の端部と他方の端部に配置された２つの固定具で構成されることを特徴とする請求項１に記載のリハビリ用強度可変小弓。
【請求項３】
請求項１または２に記載のリハビリ用強度可変小弓と、
前記リハビリ用強度可変小弓で射るための小矢と、
前記小矢を当てる標的として１個以上の小まとを含む的と、
を備えることを特徴とするリハビリ用小弓セット。
【考案の詳細な説明】
【技術分野】
【０００１】
本考案は、体力と気力が低下した患者のリハビリに適したリハビリ用強度可変小弓およびそれを含むリハビリ用小弓セットに関する。
【背景技術】
【０００２】
日本弓道は、長い弓と大きな巻きわらを用いる。日本弓道では、射手と的の間の距離が長く、弓を射るために強い力が必要である。このため、性別年齢に関わらず誰でも日本弓道を気軽に楽しむことは難しい。
一方、小規模で簡易な弓道として、宮崎県日南に古くから伝わる四半的弓道が知られている。四半的弓道は、的まで４間半(８ｍ２０ｃｍ)の距離で、４尺５寸(約１ｍ６０ｃｍ)の弓と矢を使い、直径４寸５分(約１３ｃｍ)の的を射って当たりを競う。全ての道具の長さが「４・半」なので四半的と呼ばれている。一般的な競技方法は、座射で例えば３０射を行い、当たりの本数で競う。
【０００３】
本願の考案者は、四半的弓道から基本的な着想を得て日本弓道の長所も取り入れた新しい弓道である小弓道と、その小弓道を行うための弓と矢と的を含む小弓道セットとを考案した（例えば、特許文献１参照）。
小弓道は、日本弓道や四半的弓道に準ずる精神修養要素を持ちながらも、さほど力も必要とせず、簡便に誰でも取り組むことができる。また、射手と的の間の距離も短いため場所もとらず、どこでも行うことができる。座射、椅子射、立射のいずれも可能である。
【先行技術文献】
【特許文献】
【０００４】
【特許文献１】登録実用新案第３１４６９１６号公報
【考案の概要】
【考案が解決しようとする課題】
【０００５】
上述した小弓道により病気のため体力と気力が低下した患者のリハビリを行うことが考えられる。
しかし、体力と気力の低下が著しく、小弓道で用いる弓矢であっても射ることが困難な患者が存在する。このような患者のリハビリに使用するためには、小弓道用の弓矢よりも更に弱い力で射ることができる弓矢が適切である。
しかしながら、リハビリの効果により体力と気力が回復してくると、弱い力で射ることができる弓矢ではリハビリの効果が望めなくなる。
【０００６】
また、病気が重くて立った姿勢で射ることができない患者が存在する。このような患者のリハビリを小弓道で行うためには、患者の回復に合わせて両膝を立てた姿勢や立った姿勢等さまざまな姿勢で射ることができる弓矢が必要である。
【０００７】
本考案は、上記実情を鑑みて行われたものであり、リハビリによって徐々に回復する体力と気力に応じた力と姿勢で患者が矢を射ることができるリハビリ用強度可変小弓およびそれを含むリハビリ用小弓セットを提供することを目的とする。
【課題を解決するための手段】
【０００８】
上記目的を達成するために、本考案のリハビリ用強度可変小弓は、
湾曲させることが可能な棒状の主弓と、
前記主弓に重ね合わされた湾曲させることが可能な棒状の補助弓と、
前記主弓に重ね合わされた前記主弓と前記補助弓より短い棒状の握り棒と、
重ね合わされた前記主弓と前記補助弓の所定の位置に前記握り棒を固定する固定部材と、
前記握り棒の一方の端部と前記主弓の一方の端部との間の第１の位置で前記主弓と前記補助弓を固定し、当該第１の位置を変更可能な第１の調節具と、
前記握り棒の他方の端部と前記主弓の他方の端部との間の第２の位置で前記主弓と前記補助弓を固定し、当該第２の位置を変更可能な第２の調節具と、
前記主弓の両方の端部にそれぞれ結び付けられて、前記主弓を湾曲させる弦と、
を備えることを特徴とする。
【０００９】
好ましくは、本考案のリハビリ用強度可変小弓は、
前記固定部材が、前記握り棒の一方の端部と他方の端部に配置された２つの固定具で構成されることを特徴とする。
【００１０】
また、本考案のリハビリ用小弓セットは、
請求項１または２に記載のリハビリ用強度可変小弓と、
前記リハビリ用強度可変小弓で射るための小矢と、
前記小矢を当てる標的として１個以上の小まとを含む的と、
を備えることを特徴とする。
【考案の効果】
【００１１】
本考案によれば、リハビリによって徐々に回復する体力と気力に応じた適切な力と姿勢で患者が矢を射ることができる。更に、患者の状況に応じた気分転換ができ、リハビリとして大きな成果を上げることができる。
【図面の簡単な説明】
【００１２】
【図１】本考案の実施形態に係るリハビリ用強度可変小弓の構成の一例を示す図である。
【図２】主弓と補助弓と握り棒の形状の一例を示す斜視図である。
【図３】リハビリ用強度可変小弓に適した小矢の一例の写真である。
【図４】図３の小矢の鏃の拡大写真である。
【図５】図３の小矢の矢羽の拡大写真である。
【図６】リハビリ用強度可変小弓に適した的の第１の例を示す図である。
【図７】リハビリ用強度可変小弓に適した的の第２の例を示す図である。
【図８】リハビリ用強度可変小弓に適した的の第３の例を示す図である。
【考案を実施するための形態】
【００１３】
以下、本考案の実施形態に係るリハビリ用強度可変小弓、およびこのリハビリ用強度可変小弓と小矢と的を含むリハビリ用小弓セットについて図面を参照しながら説明する。
【００１４】
リハビリ用強度可変小弓１００は、図１に示すように、主弓１０１と、補助弓１０２と、握り棒１０３と、固定具１０４ａと、固定具１０４ｂと、調節具１０５ａと、調節具１０５ｂと、弦１０６とで構成される。
【００１５】
主弓１０１は、所定の長さの湾曲させることが可能な棒状の部材である。補助弓１０２は、主弓１０１とほぼ同じ長さの湾曲させることが可能な棒状の部材である。主弓１０１と補助弓１０２は、例えば長さ１００ｃｍ、幅１．５ｃｍ、厚さ０．５ｃｍの木材で形成される。ただし、必ずしも主弓１０１と補助弓１０２が同じ長さである必要はない。
握り棒１０３は、主弓１０１と補助弓１０２より短い棒状の部材である。握り棒１０３は、湾曲しにくい構造を有する。握り棒１０３は、例えば長さ２０ｃｍ、幅１．５ｃｍ、厚さ１．５ｃｍの木材で形成される。
【００１６】
固定具１０４ａと固定具１０４ｂは、重ね合わされた主弓１０１と補助弓１０２の中央部付近で、主弓１０１と補助弓１０２と握り棒１０３とを固定する。固定具１０４ａと固定具１０４ｂはそれぞれ握り棒１０３の一方の端部と他方の端部に位置する。固定具１０４ａと固定具１０４ｂは、例えば針金で構成される。
調節具１０５ａは、固定具１０４ａが位置する握り棒１０３の一方の端部と、主弓１０１の一方の端部１１３ａとの間で主弓１０１と補助弓１０２を固定する。調節具１０５ｂは、固定具１０４ｂが位置する握り棒１０３の他方の端部と、主弓１０１の他方の端部１１３ｂとの間で主弓１０１と補助弓１０２を固定する。矢を射るために必要な力を調節するために、調節具１０５ａと調節具１０５ｂが主弓１０１と補助弓１０２をそれぞれ固定する位置は変更することができる。調節具１０５ａと調節具１０５ｂは、例えば針金で構成される。
【００１７】
弦１０６は、紐状の部材である。弦１０６は、主弓１０１の一方の端部１１３ａと他方の端部１１３ｂにそれぞれ結び付けられて、主弓１０１を湾曲させる。弦１０６は、例えば、和弓の弦と同一のものを用いることができる。
【００１８】
図２は、主弓１０１と補助弓１０２と握り棒１０３の形状の一例を示す。図２では、主弓１０１と補助弓１０２と握り棒１０３の断面の形状はいずれも矩形である。なお、図１と図２の同一の符号は同一の構成要素を示す。
リハビリ用強度可変小弓１００を組み立てるときには、まず、主弓１０１の一方の主面１０７ａと補助弓１０２の一方の主面１０８を重ね合わせる。次に、握り棒１０３の一方の主面１０９を主弓１０１の他方の主面１０７ｂに重ねて握り棒１０３を主弓１０１の中央部付近に置く。そして、握り棒１０３の両端部で固定具１０４ａと固定具１０４ｂを用いて主弓１０１と補助弓１０２と握り棒１０３を固定する。次に、調節具１０５ａと調節具１０５ｂを用いて主弓１０１と補助弓１０２を固定する。
【００１９】
その後、図１に示すように、弦１０６を主弓１０１の一方の端部１１３ａと他方の端部１１３ｂにそれぞれ結び付けて主弓１０１を湾曲させる。このとき、補助弓１０２における調節具１０５ａと調節具１０５ｂに挟まれた部分も同様に湾曲する。しかし、補助弓１０２における調節具１０５ａから一方の端部１１４ａまでの部分は湾曲しない。同様に、補助弓１０２における調節具１０５ｂから他方の端部１１４ｂまでの部分も湾曲しない。
従って、調節具１０５ａと調節具１０５ｂの位置を変えると補助弓１０２における湾曲する部分の長さが変わる。このため、調節具１０５ａと調節具１０５ｂが主弓１０１と補助弓１０２を固定する位置を調節することによって矢を射るために必要な力を調節することができる。
【００２０】
調節できる力の範囲は、例えば１．０Ｋｇ〜３．２Ｋｇである。補助弓１０２に付されたマーク１１０ａとマーク１１０ｂは、調節具１０５ａと調節具１０５ｂがそれぞれマーク１１０ａとマーク１１０ｂの位置にあるとき、例えば、１．０Ｋｇの力で矢を射ることができることを示す。同様に、補助弓１０２に付されたマーク１１１ａとマーク１１１ｂは、調節具１０５ａと調節具１０５ｂがそれぞれマーク１１１ａとマーク１１１ｂの位置にあるとき、例えば、２．１Ｋｇの力で矢を射ることができることを示し、補助弓１０２に付されたマーク１１２ａとマーク１１２ｂは、調節具１０５ａと調節具１０５ｂがそれぞれマーク１１２ａとマーク１１２ｂの位置にあるとき、例えば、３．２Ｋｇの力で矢を射ることができることを示す。
なお、弦１０６を張って湾曲させた状態での主弓１０１の長さは、例えば９０ｃｍ程度である。
【００２１】
図３〜図５は、リハビリ用強度可変小弓１００に適した小矢の一例の写真である。図３は小矢全体の写真であり、図４と図５はそれぞれ矢尻と矢羽の写真である。
小矢は、例えば長さ４０〜５０ｃｍ、重さ５〜６ｇである。リハビリ用強度可変小弓１００は、和弓の１／１０程度の力でしか矢を射ることができない。このため、小矢は、軽くなければならず、例えばアルミ管を加工して製造される。和弓の矢の重さ２０〜２５ｇに比べ、リハビリ用強度可変小弓１００に適した小矢は非常に軽い。この小矢を用いると、リハビリ用強度可変小弓１００により２〜２０ｍ程度の射程距離を得ることができ、リハビリ用強度可変小弓１００でも射の満足感、スリル、緊張感を感じることができる。
この小矢の矢羽には、目で見て楽しさを感じるようにカラフルな色が付されている。
【００２２】
図６〜図８は、リハビリ用強度可変小弓１００に適した３種類の的の例を示す。
図６の的には、標的としての１個の小まとが描かれている。この小まとは、１０個の所定の幅の同心円状の領域を有し、各領域には数字とカラフルな色が付されている。小矢が中心に近い同心円状の領域に当たるほど射手に高い点数が与えられる。
【００２３】
図７の的には、標的としての６個の小まとが描かれている。各小まとは、３個から５個の所定の幅の同心円状の領域を有し、各領域には小形の数字が付されている。また、各小まとの中心には大形の数字が付されている。この小まとの中心の大形の数字は、例えば、複数の競技者が１つの的を標的として競技する場合に、各競技者がねらう小まとを区別するために用いることができる。この小まとの中心の大形の数字は、競技方法により、様々に利用することができる。
【００２４】
図８の的には、標的としての１０個の小まとが描かれている。各小まとは、２個から５個の所定の幅の同心円状の領域を有し、図７の的と同様に、各領域には小形の数字が付されている。また、図７の的と同様に、各小まとの中心には大形の数字が付されている。
的に描かれる小まとの数は、２個や３個でも良く、１個の的は標的としての任意の数の小まとを含むことができる。また、小まとは任意の数の同心円状の領域を含むことができる。
【００２５】
なお、上記実施形態では１本の補助弓１０２を用いてリハビリ用強度可変小弓１００を構成したが、補助弓１０２を２本以上用いてリハビリ用強度可変小弓１００を構成してもよい。
また、上記実施形態ではマーク１１０ａ、マーク１１０ｂ、マーク１１１ａ、マーク１１１ｂ、マーク１１２ａ、マーク１１２ｂが補助弓１０２に付されている例を示したが、これらのマークは主弓１１１に付されていてもよい。また、これらのマークは主弓１１１と補助弓１０２の両方に付されていてもよい。更に、これらのマークの数に制限はなく、主弓１１１および／または補助弓１０２に必要な数のマークを付してよい。
【００２６】
また、上記実施形態では、握り棒１０３を主弓１０１と補助弓１０２に固定する部品として固定具１０４ａと固定具１０４ｂを用い、これらが針金で構成される例を示したが、これらを例えば繊維強化プラスチック等他の素材を用いて構成してもよい。また、固定具１０４ａと固定具１０４ｂの代わりにテープのような粘着性を有する素材を用い、主弓１０１と補助弓１０２と握り棒１０３とをその素材で巻くことにより握り棒１０３を固定してもよい。なお、この粘着性を有する素材は伸縮性を有し、この素材が巻きつけられている部分でも主弓１０１と補助弓１０２を湾曲させることができることが望ましい。
また、上記実施形態では、調節具１０５ａと調節具１０５ｂがそれぞれ針金で構成される例を示したが、これらを例えば繊維強化プラスチック等他の素材を用いて構成してもよい。
【００２７】
また、上記実施形態では、主弓１０１と補助弓１０２と握り棒１０３の断面の形状は矩形であるとしたが、主弓１０１と補助弓１０２と握り棒１０３の断面の形状は、楕円形や円形等の他の形状であってもよい。
ただし、主弓１０１の断面の形状は、補助弓１０２を重ね合わせることができ、補助弓１０２が重ねられた側と反対側に握り棒１０３を重ね合わせることができる形状である。補助弓１０２の断面の形状は、主弓１０１を重ね合わせることができる形状である。握り棒１０３の断面の形状は、主弓１０１を重ね合わせることができる形状である。
【００２８】
また、的として、ベッド上で使用可能な小さなものや、絵や文字により装飾が施されているもの等さまざまな形態のものを用いてよい。
【００２９】
本考案によれば、リハビリによって徐々に回復する体力と気力に応じた適切な力と姿勢で患者が小矢を射ることができる。しかも、リハビリ用強度可変小弓１００は、小矢を飛ばす力が弱いため、安全であり、体力や気力の低下した人でも抵抗感が少ない。更に、患者の状況に応じた気分転換ができ、リハビリとして大きな成果を上げることができる。
リハビリ用強度可変小弓１００は、和弓と比べて小さいため、取り扱いやすい。このため、リハビリ用強度可変小弓１００と小矢と的で構成されるリハビリ用小弓セットを用いると、寝た姿勢や椅子に座った姿勢、床に正座した姿勢、立った姿勢等さまざまな姿勢で小矢を射ることができる。このため、患者に回復の目標として小矢を射る力と姿勢を指示することができる。患者は目標として指示された力と姿勢で小矢を射ることにより達成感と回復の実感を得ることができる。
【００３０】
また、リハビリ用強度可変小弓１００を用いて小矢を射ることには、日本弓道や四半的弓道と同様にスポーツ的要素やゲーム的要素があるため、患者がリハビリを楽しむことができる。患者は、リハビリ用小弓セットを用いてリハビリを行い、十分に回復した後、小弓道から四半的弓道や日本弓道に移行することもできる。
更に、例えば面会に来る孫達がリハビリ中の高齢者と一緒に楽しむことにより、孫達に弓道への関心を芽生えさせることができる。
また、リハビリ用強度可変小弓セットは、小型であるため、狭い場所に収納することができる。
【００３１】
以上、本考案の実施形態について説明したが、設計上の都合やその他の要因によって必要となる様々な修正や組み合わせは、請求項に記載されている考案や考案の実施形態に記載されている具体例に対応する考案の範囲に含まれると理解されるべきである。
【符号の説明】
【００３２】
１００…リハビリ用強度可変小弓、１０１…主弓、１０２…補助弓、１０３…握り棒、１０４ａ、１０４ｂ…固定具、１０５ａ、１０５ｂ…調節具、１０６…弦、１０７ａ…主弓の一方の主面、１０７ｂ…主弓の他方の主面、１０８…補助弓の一方の主面、１０９…握り棒の一方の主面、１１０ａ、１１０ｂ、１１１ａ、１１１ｂ、１１２ａ、１１２ｂ…マーク、１１３ａ…主弓の一方の端部、１１３ｂ…主弓の他方の端部、１１４ａ…補助弓の一方の端部、１１４ｂ…補助弓の他方の端部
【図１】
0003161704.tif 000003
【図２】
0003161704.tif 000004
【図３】
0003161704.tif 000005
【図４】
0003161704.tif 000006
【図５】
0003161704.tif 000007
【図６】
0003161704.tif 000008
【図７】
0003161704.tif 000009
【図８】
0003161704.tif 000010